(57)【要約】【課題】通信装置に対して、コンテンツ要約情報の取得に関する設定の登録を容易に行うことができる設定情報登録プログラム及びこの設定情報登録プログラムを実行するコンピュータを提供することを目的とする。【解決手段】新ＲＳＳデバイスに対してＲＳＳサイト情報を登録するパソコンの制御部は、旧ＲＳＳデバイスから、自装置が登録したＲＳＳサイト情報を検索し（Ｓ２０８）、検索されたＲＳＳサイト情報を新ＲＳＳデバイスに送信し（Ｓ２１６）、新ＲＳＳデバイスから送信されるＲＳＳサイト情報の登録完了信号を受信する（Ｓ２１８：Ｙｅｓ）。【選択図】図４
2010176161.tif 000002
【特許請求の範囲】
【請求項１】
ネットワーク上に存在するコンテンツの位置情報と、前記コンテンツのタイトルと、を含むコンテンツ要約情報の取得に関する設定情報を、前記ネットワークに接続可能な第１通信装置に登録するコンピュータの制御部が読み取り可能な設定情報登録プログラムであって、
前記制御部を、
前記設定情報が登録された第２通信装置から、前記設定情報を取得する設定情報取得手段と、
前記第１通信装置に前記設定情報取得手段が取得した設定情報を登録する登録手段として機能させるための設定情報登録プログラム。
【請求項２】
前記設定情報は、前記設定情報を登録した制御部を備えるコンピュータを識別可能な識別情報を含み、
前記制御部を、
前記設定情報取得手段が取得した設定情報に含まれる識別情報を判別する判別手段と、
前記判別手段が前記設定情報登録プログラムを読み取っている制御部を備えるコンピュータを識別する識別情報に一致する識別情報を判別した場合、前記第１通信装置に前記設定情報取得手段が取得した設定情報を登録する前記登録手段として機能させるための請求項１に記載の設定情報登録プログラム。
【請求項３】
前記制御部を、
前記第２通信装置から前記設定情報を取得できない場合、前記コンピュータが備える記憶手段に記憶された設定情報を取得する前記設定情報取得手段として機能させるための請求項１又は請求項２に記載の設定情報登録プログラム。
【請求項４】
前記制御部を、
前記第２通信装置及び前記記憶手段から前記設定情報を取得できない場合、前記コンピュータが備える入力手段を介して入力された設定情報を取得する前記設定情報取得手段として機能させるための請求項３に記載の設定情報登録プログラム。
【請求項５】
前記制御部を、
前記設定情報取得手段が前記第２通信装置から前記設定情報を取得した場合、前記第２通信装置に登録された設定情報を削除する設定情報削除手段として機能させるための請求項１乃至請求項４のいずれか１項に記載の設定情報登録プログラム。
【請求項６】
請求項１乃至請求項５のいずれか１項に記載の設定情報登録プログラムを記録した記録媒体と、
前記記録媒体から前記設定情報登録プログラムを読み取り、前記読み取った設定情報登録プログラムを実行する制御部と、を備えたことを特徴とするコンピュータ。
【発明の詳細な説明】
【技術分野】
【０００１】
本発明は、ネットワーク上に存在するコンテンツの位置情報と、前記コンテンツのタイトルと、を含むコンテンツ要約情報の取得に関する設定に係るものである。
【背景技術】
【０００２】
ネットワークを介して多くのデータ（情報）が提供され、ユーザは各種情報を取得することができる。そして、このような状況に対応すべく、ネットワークを介したデータの取得に関する技術が多く提案されている。例えば、ＲＳＳ（Resource Description Framework Site Summary）形式のデータのテレビジョン受像機、パーソナルコンピュータ（以下、「パソコン」という。）での表示に関し、タイトルだけが表示されるＲＳＳ記事の一覧が表示されている状態で、それを詳細モードで表示することが指示された場合、一の領域には、ＲＳＳ記事のタイトルが２行分だけ表示され、他の領域には、本文が４行分だけ表示され、また、ＲＳＳ記事に含まれる画像の縦方向の画素数が所定の画素数より多い場合、縦方向の画素数を基準として、縦方向がその所定の画素数に収まるように縮小され、縮小された画像が領域に表示される技術が提案されている。ここで、ＲＳＳは、タイトル（見出し）やハイパーリンク、画像、本文などをＸＭＬ（eXtensible Markup Language）で記述し、Ｗｅｂサイトに掲載される元の情報の概要を表すものとして用いられるデータ形式である（例えば、特許文献１参照）。
【先行技術文献】
【特許文献】
【０００３】
【特許文献１】特開２００８−１６５６９２号公報
【発明の概要】
【発明が解決しようとする課題】
【０００４】
ところで、例えば、上記ＲＳＳ形式のデータのごとく、タイトル（見出し）及びハイパーリンクを含むコンテンツ要約情報を、ネットワークを介して取得するためには、ネットワークに接続され、コンテンツ要約情報を取得する通信装置に対し、所定の設定を行う必要がある。
【０００５】
本発明は、通信装置に対して、コンテンツ要約情報の取得に関する設定の登録を容易に行うことができる設定情報登録プログラム及びこの設定情報登録プログラムを実行するコンピュータを提供することを目的とする。
【課題を解決するための手段】
【０００６】
上記課題に鑑みなされた本発明は、ネットワーク上に存在するコンテンツの位置情報と、前記コンテンツのタイトルと、を含むコンテンツ要約情報の取得に関する設定情報が登録された通信装置から、登録済の設定情報を取得し、取得した設定情報を他の通信装置に登録することとしたものである。
【０００７】
本発明を反映した第１の課題解決手段は、ネットワーク上に存在するコンテンツの位置情報と、前記コンテンツのタイトルと、を含むコンテンツ要約情報の取得に関する設定情報を、前記ネットワークに接続可能な第１通信装置に登録するコンピュータの制御部が読み取り可能な設定情報登録プログラムであって、前記制御部を、前記設定情報が登録された第２通信装置から、前記設定情報を取得する設定情報取得手段と、前記第１通信装置に前記設定情報取得手段が取得した設定情報を登録する登録手段として機能させるための設定情報登録プログラムである。
【０００８】
これによれば、設定情報を第２通信装置から取得し、取得した設定情報を第１通信装置に登録することができる。ここで、ネットワークはインターネットを含み、また、イントラネットを含む。
【０００９】
第２の課題解決手段は、第１の課題解決手段の設定情報登録プログラムであって、  前記設定情報は、前記設定情報を登録した制御部を備えるコンピュータを識別可能な識別情報を含み、前記制御部を、前記設定情報取得手段が取得した設定情報に含まれる識別情報を判別する判別手段と、前記判別手段が前記設定情報登録プログラムを読み取っている制御部を備えるコンピュータを識別する識別情報に一致する識別情報を判別した場合、前記第１通信装置に前記設定情報取得手段が取得した設定情報を登録する前記登録手段として機能させることを特徴とする。これによれば、自装置で登録した設定情報を取得し、第１通信装置に容易に再登録することができる。
【００１０】
第３の課題解決手段は、第１又は第２の課題解決手段の設定情報登録プログラムであって、前記制御部を、前記第２通信装置から前記設定情報を取得できない場合、前記コンピュータが備える記憶手段に記憶された設定情報を取得する前記設定情報取得手段として機能させることを特徴とする。
【００１１】
これによれば、先ず、設定情報が設定された第２通信装置に対し、設定情報の取得を試み、第２通信装置から設定情報が取得できない場合、自装置の記憶手段から設定情報を取得する。設定情報が登録された第２通信装置は、コンテンツ要約情報を常時取得可能な状態に設置されているのであれば、必ずしも常時起動しているとは限らないコンピュータと比較し、より多くの設定情報が登録されている場合がある。かかる場合において、先ず、第２通信装置に対し設定情報の取得を試みる第３の課題解決手段は、第１通信装置に、より多くの設定情報を登録することが可能で、この点において好適である。また、第２通信装置が故障、破棄等により設定情報を取得できない状態でも、コンピュータから取得可能である。
【００１２】
第４の課題解決手段は、第３の課題解決手段の設定情報登録プログラムであって、前記制御部を、前記第２通信装置及び前記記憶手段から前記設定情報を取得できない場合、前記コンピュータが備える入力手段を介して入力された設定情報を取得する前記設定情報取得手段として機能させることを特徴とする。これによれば、入力手段を介して入力された設定情報を第１通信装置に登録することができる。
【００１３】
第５の課題解決手段は、第１乃至第４の課題解決手段のいずれか１つの設定情報登録プログラムであって、前記制御部を、前記設定情報取得手段が前記第２通信装置から前記設定情報を取得した場合、前記第２通信装置に登録された設定情報を削除する設定情報削除手段として機能させることを特徴とする。これによれば、第２通信装置に登録された設定情報を削除することができる。
【００１４】
第６の課題解決手段は、第１乃至第５の課題解決手段のいずれか１つの設定情報登録プログラムを記録した記録媒体と、前記記録媒体から前記設定情報登録プログラムを読み取り、前記読み取った設定情報登録プログラムを実行する制御部と、を備えたことを特徴とするコンピュータである。これによれば、上記特有の機能を実現可能なコンピュータとすることができる。
【発明の効果】
【００１５】
本発明によれば、通信装置に対して、コンテンツ要約情報の取得に関する設定の登録を容易に行うことができる設定情報登録プログラム及びこの設定情報登録プログラムを実行するコンピュータを得ることができる。
【図面の簡単な説明】
【００１６】
【図１】本発明の実施形態におけるシステムの概要とシステムを構成するパソコン及び複合機の機能ブロックとを示す図
【図２】本発明に係る実施形態のＲＳＳサイト情報手動登録処理のフローを示す図
【図３】本発明に係る実施形態のＲＳＳサイト情報手動登録画面を示す図
【図４】本発明に係る実施形態のＲＳＳサイト情報自動登録処理のフローを示す図
【図５】本発明に係る実施形態のＲＳＳサイト情報自動登録画面を示す図
【発明を実施するための形態】
【００１７】
本発明を反映した上記課題解決手段を実施するための実施形態について、図面を用いて以下に詳細に説明する。上記課題解決手段は以下に記載の構成に限定されるものではなく、同一の技術的思想において種々の構成を採用することができる。
【００１８】
（システムの構成）
図１は印刷システムを示す図である。印刷システム１０は、パソコン１００と、複合機２００Ａ，２００Ｂと、その他図１には描画していないネットワーク装置とを含み、各装置はＬＡＮ（Local Area Network）８００を介して通信可能に接続されている。複合機２００Ａ，２００Ｂ各々は、例えば、パソコン１００から送信される印刷データを受信し、これに対する印刷処理を実行する。また、複合機２００Ａ，２００Ｂ各々は、パソコン１００からのスキャン要求に基づいたスキャン処理の実行により生成したスキャンデータを、ＬＡＮ８００を介して、パソコン１００に送信する。なお、複合機２００Ａ，２００Ｂ各々は、スキャンデータの他、例えば、インターネット８４０に存在しているデータであって、自身が取得した各種データをパソコン１００に送信することができる。
【００１９】
また、ＬＡＮ８００は、ルータ８２０を介してインターネット８４０に接続されている。インターネット８４０には、コンテンツ提供サーバ８６０，８８０が存在している（接続されている）。なお、図１では、コンテンツ提供サーバ８６０，８８０のみが記載されているが、実際には、これらコンテンツ提供サーバ８６０，８８０と同様の機能を実現可能なコンテンツ提供サーバが複数接続されている。パソコン１００及び複合機２００Ａ，２００Ｂは、ＬＡＮ８００とルータ８２０とを介してインターネット８４０に通信可能に接続されている。
【００２０】
ここで、コンテンツ提供サーバ８６０が１つのサイトを公開しており、コンテンツ提供サーバ８８０が他の１つのサイトを公開している。各サイトは、複数のコンテンツを含んでいる。さらに、各コンテンツ提供サーバ８６０，８８０は、サイトに含まれる複数のコンテンツの要約情報（フィード情報。以下、コンテンツ要約情報（フィード情報）としてＲＳＳ形式の情報（データ）を例に説明する。）を記憶し、これを要求元のＲＳＳデバイス（例えば、複合機２００Ａ，２００Ｂ）に対して配信する。
【００２１】
先ず、複合機２００Ａは、自装置の制御を司る制御部２１０と、各種データを記憶する記憶部２２０とを備える。また、複合機２００Ａは、印刷データを実際に印刷する印刷部２３０と、原稿載置部（図１において図示を省略）に設置された原稿をスキャンするスキャナ部２４０とを備える。さらに、複合機２００Ａは、各種情報を表示するモニタ２６０と、複合機２００Ａへのデータ（指令）入力のインターフェースとしての機能を果たす操作部２７０と、ＬＡＮ８００に接続されるネットワークＩ／Ｆ（図１において「ネットワークＩ／Ｆ」と記載。以下、「ネットワークＩ／Ｆ」という。）２８０とを備える。制御部２１０は、演算処理を実行するＣＰＵと、各種プログラムを記憶するＲＯＭと、作業領域としてのＲＡＭとにより構成される。記憶部２２０は、例えば、不揮発性のメモリ（例えば、ＥＥＰＲＯＭ）又はハードディスクによって構成されている。記憶部２２０に記憶される各種データには、例えば、所定の処理を実行するためのプログラム、コンテンツ要約情報を取得するための設定（以下、「ＲＳＳサイト情報」という。）が含まれる。印刷部２３０は、例えば、インクジェット方式、電子写真方式又は熱転写方式を採用した構成を有する。
【００２２】
制御部２１０を構成するＣＰＵがＲＡＭ上で、ＲＯＭ及び記憶部２２０に記憶されるプログラムを実行することで、各種処理が実行される。例えば、ネットワークＩ／Ｆ２８０が受信した印刷データに対して印刷処理が実行される。また、記憶部２２０に記憶（登録）されたＲＳＳサイト情報に基づきコンテンツ要約情報が取得される。ＣＰＵは、これら処理を実行するためＲＡＭ上のデータにアクセスする。したがって、ＣＰＵがＲＯＭ及び記憶部２２０に記憶されている各種プログラムをＲＡＭ上で実行することで、各種処理が実行され、これによって各種機能手段が構成される。なお、複合機２００Ｂは、複合機２００Ａと機能的に同一の構成を備える。したがって、複合機２００Ｂについての詳細は省略する。
【００２３】
次に、パソコン１００の構成について説明する。パソコン１００は、自装置の制御を司る制御部１１０と、ハードディスク（図１において「ＨＤＤ」と記載。以下、「ＨＤＤ」という。）１２０とを備える。また、パソコン１００は、モニタ１３０と、キーボード又はマウスにより構成される操作部１４０と、ＬＡＮ８００に接続されるネットワークＩ／Ｆ１５０とを備える。
【００２４】
制御部１１０は、演算処理を実行するＣＰＵと、各種プログラムを記憶するＲＯＭと、作業領域としてのＲＡＭとにより構成される。ＨＤＤ１２０には、例えば、ＯＳ（Operating System）１２０２と、複合機２００Ａ，２００Ｂに対してＲＳＳサイト情報を登録するための設定情報登録プログラム１２０４とが記憶されている。また、ＨＤＤ１２０には、複合機２００Ａの印刷部２３０を制御するプリンタドライバと、スキャナ部２４０を制御するスキャナドライバとを含むドライバプログラム１２０６が記憶されている。さらに、ＨＤＤ１２０には、ＯＳ１２０２と設定情報登録プログラム１２０４とドライバプログラム１２０６等とのための各設定データを管理するデータベース１２０８（例えば、ＯＳ１２０２が提供するレジストリ）が記憶されている。
【００２５】
制御部１１０を構成するＣＰＵがＲＡＭ上で、ＲＯＭに記憶された各種プログラム及びＨＤＤ１２０に記憶されるデータベース１２０８に基づきＯＳ１２０２、設定情報登録プログラム１２０４、ドライバプログラム１２０６を実行することで、各種処理が実行され、これによって各種機能手段が構成される（例えば、設定情報取得手段、登録手段）。次に、制御部１１０によって実現される各処理について、図２乃至図５に基づき詳細に説明する。なお、以下の処理によってＲＳＳサイト情報が登録されたＲＳＳデバイスは、登録されたＲＳＳサイト（コンテンツ提供サーバ８６０，８８０）からコンテンツ要約情報を受信（取得）する。
【００２６】
（ＲＳＳサイト情報手動登録処理）
図２にＲＳＳサイト情報手動登録処理のフローを示す。この処理は、パソコン１００の制御部１１０によって実行されるものである。例えば、ユーザが操作部１４０を介して設定情報登録プログラム１２０４の実行を指示し、これを制御部１１０が取得した場合に開始される。なお、このＲＳＳサイト情報手動登録処理は、例えば、ＬＡＮ８００上に、ＲＳＳサイト情報が登録されたＲＳＳデバイスが存在していない場合に実行される。具体的には、ＬＡＮ８００に接続された装置がパソコン１００のみである状態で、複合機２００Ｂが新たに接続され、パソコン１００から複合機２００Ｂに対しＲＳＳサイト情報を登録する場合に実行される。
【００２７】
ＲＳＳサイト情報手動登録処理を開始した制御部１１０は、先ず、ネットワークＩ／Ｆ１５０を制御し、ＬＡＮ８００に接続されているＲＳＳデバイスを検索する（Ｓ１００）。そして、制御部１１０は、Ｓ１００の検索によって、ＲＳＳデバイスの存在を検出できたか否かを判断する（Ｓ１０２）。ＲＳＳデバイスが存在していると判断した場合（Ｓ１０２：Ｙｅｓ）、制御部１１０は処理をＳ１０４に移行する一方、ＲＳＳデバイスが存在していないと判断した場合（Ｓ１０２：Ｎｏ）、制御部１１０はこの処理を終了する。なお、上記仮定（ＬＡＮ８００に接続された装置がパソコン１００と複合機２００Ｂのみ）に基づけば、複合機２００Ｂが、このＳ１００の検索によって検出され、その結果、Ｓ１０２でＲＳＳデバイスが存在していると判断される。
【００２８】
Ｓ１０４で制御部１１０は、ＲＳＳサイト情報手動登録画面をモニタ１３０に表示する。図３は、ＲＳＳサイト情報手動登録画面を示す図である。ＲＳＳサイト情報手動登録画面３００は、ＲＳＳサイト情報の登録先装置（ＲＳＳデバイス）を指定する登録先デバイス名ボックス３０２と、ＲＳＳサイト情報を登録する装置を入力する登録パソコン名ボックス３０４とを含む。また、ＲＳＳサイト情報手動登録画面３００は、登録するＲＳＳサイト情報を指定する登録ＲＳＳサイトボックス３０６を含む。ここで、登録ＲＳＳサイトボックス３０６には、登録ＲＳＳサイト（コンテンツ提供サーバ８６０，８８０）名とＵＲＬ（Uniform Resource Locator）とが関連付けられている。さらに、ＲＳＳサイト情報手動登録画面３００は、上記各ボックス３０２，３０４，３０６に入力された情報を確定し、登録先デバイス名ボックス３０２で指定されたＲＳＳデバイスへの登録を指示する際に押下するＯＫボタン３０８と、ＲＳＳサイト情報の登録をキャンセルする際に押下するキャンセルボタン３１０とを含む。ユーザは、モニタ１３０に表示されたＲＳＳサイト情報手動登録画面３００を確認しつつ、操作部１４０を介して上記各ボックス３０２，３０４，３０６に情報を入力し、各ボタン３０８，３１０を押下する。なお、登録パソコン名ボックス３０４に入力されるパソコン名は、ＲＳＳデバイス（複合機２００Ｂ）にＲＳＳサイト情報を登録した装置を識別する情報として取り扱われる。
【００２９】
Ｓ１０６でＲＳＳサイト情報手動登録画面３００をモニタ１３０に表示した制御部１１０は、登録先デバイス名ボックス３０２に入力されたＲＳＳデバイスへのＲＳＳサイト情報の登録指示がなされた、すなわち、表示に応じ、所定の情報の入力がなされ、ＯＫボタン３０８が押下（ＲＳＳサイト情報の登録指示の入力）されたか否かを判断する。判断の結果、ＯＫボタン３０８が押下された場合（Ｓ１０６：Ｙｅｓ）、制御部１１０は処理をＳ１０８に移行する。これに対し、ＯＫボタン３０８が押下されず、キャンセルボタン３１０が押下された場合（Ｓ１０６：Ｎｏ）、制御部１１０はこの処理を終了する。
【００３０】
Ｓ１０８で制御部１１０は、ネットワークＩ／Ｆ１５０を制御し、ＲＳＳサイト情報手動登録画面３００の登録ＲＳＳサイトボックス３０６に入力された各情報を含むＲＳＳサイト情報を、登録先デバイス名ボックス３０２に入力されたＲＳＳデバイスを宛先（図３に基づけば「複合機２００Ｂ」）として送信する。送信されるＲＳＳサイト情報には、登録パソコン名ボックス３０４に入力されたパソコン１００を識別する識別情報（図３に基づけば「パソコン１００」。ＭＡＣアドレス等とすることもできる。）が含まれる。なお、制御部１１０は、ＲＳＳサイト情報の送信先となるＲＳＳデバイスの宛先を、Ｓ１００の検索処理の際に入手しており、これを利用する。
【００３１】
Ｓ１０８でＲＳＳサイト情報を送信した制御部１１０は、ＲＳＳサイト情報を受信したＲＳＳデバイスが送信する登録完了信号を受信したか否かを判断する（Ｓ１１０）。登録完了通知を受信したと判断した場合（Ｓ１１０：Ｙｅｓ）、制御部１１０は、Ｓ１０８で送信したＲＳＳサイト情報をデータベース１２０８に登録し（Ｓ１１２）、この処理を終了する。これに対し、制御部１１０は、ＲＳＳサイト情報を送信後（Ｓ１０８参照）、所定の時間内に、ＲＳＳデバイスから登録完了信号を受信しない場合（Ｓ１１０：Ｎｏ）、Ｓ１１２を実行することなく、この処理を終了する。例えば、ＲＳＳデバイスの電源がオフである場合、登録完了通知を受信することができない。制御部１１０は、ＲＳＳサイト情報の登録先であるＲＳＳデバイスにおいて、指定したＲＳＳサイト情報が正常に登録された場合、その登録されたＲＳＳサイト情報を、自装置においても登録しておく（既にＲＳＳサイト情報がデータベース１２０８に登録されている場合、更新登録する。）。
【００３２】
なお、本実施形態においてＲＳＳデバイスは、Ｓ１０８で送信されるＲＳＳサイト情報を受信し、これを登録した場合、登録完了信号を送信先装置に送信するよう制御する。例えば、複合機２００Ｂの制御部は、パソコン１００から送信されるＲＳＳサイト情報を、ネットワークＩ／Ｆを制御して受信し、これを記憶部に登録する。そして、複合機２００Ｂの制御部は、再度、ネットワークＩ／Ｆを制御し、パソコン１００を宛先として登録完了通知を送信する。
【００３３】
（ドライバインストール処理）
図４にドライバインストール処理のフローを示す。この処理は、パソコン１００の制御部１１０によって実行されるものである。例えば、ＬＡＮ８００に、新たに複合機２００Ａが接続され、パソコン１００から複合機２００Ａを利用可能とする場合に開始される。より詳細には、パソコン１００の記録メディア読取装置（例えば、ＣＤ／ＤＶＤドライブ。図１において図示を省略）に、ドライバプログラム１２０６のインストール用プログラムが記録された記録メディアがセットされた場合に開始される。なお、このインストール処理の中で、設定情報登録プログラム１２０４がＨＤＤ１２０から読み出され、ＲＳＳサイト情報自動登録処理（後述するＳ２００〜Ｓ２２４参照）が実行される。具体的には、このインストールプログラムが実行された場合に、設定情報登録プログラム１２０４が読み出され、開始される。
【００３４】
インストール処理を開始した制御部１１０は、先ず、ＲＳＳサイト情報の登録先（登録対象）のＲＳＳデバイス（図４において「新ＲＳＳデバイス」と記載。以下、「新ＲＳＳデバイス」という。）を選定する処理を実行し（Ｓ２００）、処理をＳ２０２に移行する。例えば、制御部１１０は、ネットワークＩ／Ｆ１５０を制御し、ＬＡＮ８００上の装置を検索し、検索された装置の一覧をモニタ１３０に表示する。ユーザは、モニタ１３０に表示された装置のいずれかを操作部１４０を介して選択することができる。そして、制御部１１０は、モニタ１３０への表示に応じてユーザに選択された装置を、新ＲＳＳデバイスとして選定する。例えば、制御部１１０は、複合機２００Ａを選定する。
【００３５】
Ｓ２０２で制御部１１０は、ＬＡＮ８００上の既にＲＳＳサイト情報が登録されたＲＳＳデバイス（図４において「旧ＲＳＳデバイス」と記載。以下、「旧ＲＳＳデバイス」という。）を検索する（Ｓ２０２）。例えば、制御部１１０は、ＬＡＮ８００上の装置各々に対し、ＲＳＳサイト情報が登録されているかを問い合わせ、この問合せに対する応答に基づき旧ＲＳＳデバイスを検索する。続けて、制御部１１０は、Ｓ２０２の検索によって、旧ＲＳＳデバイスの存在を検出できたか否かを判断する（Ｓ２０４）。判断の結果、旧ＲＳＳデバイスが存在していない場合（Ｓ２０４：Ｎｏ）、制御部１１０は、データベース１２０８に登録されたＲＳＳサイト情報を検索し（Ｓ２０６）、処理をＳ２１２に移行する。なお、ＲＳＳサイト情報は、図２に示すＲＳＳサイト情報手動処理のＳ１１２及び後述するＳ２２０でデータベース１２０８に登録される。
【００３６】
これに対し、旧ＲＳＳデバイスが存在している場合（Ｓ２０４：Ｙｅｓ）、制御部１１０は、検出された旧ＲＳＳデバイスに登録されたＲＳＳサイト情報が自装置によって登録されたものであるかを検索する（Ｓ２０８）。具体的には、Ｓ２０８で制御部１１０は、ネットワークＩ／Ｆ１５０を制御し、旧ＲＳＳデバイスと通信し、自装置（パソコン１００）を識別する識別情報を含むＲＳＳサイト情報を検索する。例えば、図２に示すＲＳＳサイト情報手動登録処理によってＲＳＳサイト情報が登録された場合、ＲＳＳサイト情報は、登録パソコンを識別する識別情報（図２のＳ１０８、図３の登録パソコン名ボックス３０４参照）を含む。制御部１１０は、この識別情報に基づきＳ２０８の処理を実行する。
【００３７】
そして、制御部１１０は、自装置が登録したＲＳＳサイト情報が存在しているか否かを判断する（Ｓ２１０）。Ｓ２１０の判断の結果、自装置が登録したＲＳＳサイト情報がないと判断した場合（Ｓ２１０：Ｎｏ）、制御部１１０は処理をＳ２２６に移行する。これに対し、自装置が登録したＲＳＳサイト情報があると判断した場合（Ｓ２１０：Ｙｅｓ）、制御部１１０は処理をＳ２１２に移行する。
【００３８】
Ｓ２１２で制御部１１０は、Ｓ２０６で検索されたＲＳＳサイト情報又はＳ２０８で検索された（Ｓ２１０で判断が肯定（Ｓ２１０：Ｙｅｓ）された）ＲＳＳサイト情報をモニタ１３０に表示する。そして、制御部１１０は、Ｓ２１２のモニタ１３０への表示に応じ、ユーザが操作部１４０を介して新ＲＳＳデバイスへのＲＳＳサイト情報の登録指示を入力したか否かを判断する（Ｓ２１４）。図５は、Ｓ２１２でモニタに表示されるＲＳＳサイト情報自動登録画面を示す図である。ＲＳＳサイト情報自動登録画面４００は、ＲＳＳサイト情報の登録元装置（ＲＳＳデバイス）を指定する登録元デバイス名ボックス４０２と、ＲＳＳサイト情報の登録先装置（ＲＳＳデバイス）を指定する登録先デバイス名ボックス４０４と、ＲＳＳサイト情報を登録する装置を入力する登録パソコン名ボックス４０６とを含む。また、ＲＳＳサイト情報自動登録画面４００は、登録するＲＳＳサイト情報を指定する登録ＲＳＳサイトボックス４０８を含む。ここで、登録ＲＳＳサイトボックス４０８は、図３に示す登録ＲＳＳサイトボックス３０６と同一の構成であり、詳細な説明は省略する。
【００３９】
また、ＲＳＳサイト情報自動登録画面４００は、このＲＳＳサイト情報自動登録処理によって、新ＲＳＳデバイスに、旧ＲＳＳデバイスのＲＳＳサイト情報を登録した後、旧ＲＳＳデバイスからＲＳＳサイト情報を削除する指示を受け付けるチェックボックス４１０を含む。さらに、ＲＳＳサイト情報自動登録画面４００は、上記各ボックス４０２〜４１０に入力された情報を確定し、登録先デバイス名ボックス４０４で指定されたＲＳＳデバイスへの登録を指示する際に押下するＯＫボタン４１２と、ＲＳＳサイト情報の登録をキャンセルする際に押下するキャンセルボタン４１４とを含む。ユーザは、モニタ１３０に表示されたＲＳＳサイト情報自動登録画面４００を確認しつつ、必要な場合、チェックボックス４１０にチェックを入力し、ボタン４１２，４１４を押下する。
【００４０】
Ｓ２１２で制御部１１０は、登録パソコン名ボックス４０６と登録ＲＳＳサイトボックス４０８とに、Ｓ２０６又はＳ２０８で検索されたＲＳＳサイト情報に含まれる各情報を入力し、また、登録先デバイス名ボックス４０４にＳ２００で選定された装置を識別する識別情報を入力した状態で、モニタ１３０にＲＳＳサイト情報自動登録画面４００を表示する。また、制御部１１０は、登録元デバイス名ボックス４０２に、Ｓ２０６又はＳ２０８で検索されたＲＳＳサイト情報の登録先デバイス名を表示する。なお、制御部１１０は、データベース１２０８にＲＳＳサイト情報を登録するに際し（図２に示すＲＳＳサイト情報手動処理のＳ１１２及び図４に示すドライバインストール処理のＳ２２０参照）、ＲＳＳサイト情報に、登録先デバイス名（図３の登録先デバイス名ボックス３０２又は図５の登録先デバイス名ボックス４０４に入力された登録先デバイス名）を関連付けて登録する。Ｓ２１２で制御部１１０は、このように関連付けて登録された登録先デバイス名に基づき、登録元デバイス名ボックス４０２への表示を実行する。ここで、Ｓ２０６でＲＳＳサイト情報が検索される場合（Ｓ２０４：Ｎｏ）において、何らかの理由（例えば、データベース１２０８が図１には図示していないＨＤＤ１２０に記憶されたエディタプログラムによって消去された。）で、データベース１２０８からＲＳＳサイト情報が検索されない場合も想定される。このような場合、制御部１１０は、ＲＳＳサイト情報自動登録画面４００の各ボックス４０２，４０６，４０８が未入力の状態で表示する。ユーザは、モニタ１３０に表示されたＲＳＳサイト情報自動登録画面４００を確認しつつ、操作部１４０を介して上記各ボックス４０２，４０６，４０８に情報を入力する。なお、登録パソコン名ボックス４０６に入力されるパソコン名は、ＲＳＳデバイス（複合機２００Ａ）にＲＳＳサイト情報を登録した装置を識別する情報として取り扱われる。
【００４１】
Ｓ２１４の判断の結果、新ＲＳＳデバイスへのＲＳＳサイト情報の登録指示がなされた、すなわち、ＲＳＳサイト情報自動登録画面４００のモニタ１３０への表示に応じ、所定の情報が入力され、ＯＫボタン４１２が押下された場合（Ｓ２１４：Ｙｅｓ）、制御部１１０は処理をＳ２１６に移行する。これに対し、ＯＫボタン４１２が押下されず、キャンセルボタン４１４が押下された場合（Ｓ２１４：Ｎｏ）、制御部１１０は処理をＳ２２６に移行する。
【００４２】
Ｓ２１６で制御部１１０は、ネットワークＩ／Ｆ１５０を制御し、ＲＳＳサイト情報自動登録画面４００の登録ＲＳＳサイトボックス４０８に入力された各情報を含むＲＳＳサイト情報を、登録先デバイス名ボックス４０４に入力された新ＲＳＳデバイスを宛先（図５に基づけば「複合機２００Ａ」）として送信する。送信されるＲＳＳサイト情報には、登録パソコン名ボックス４０６に入力されたパソコン１００を識別する識別情報（図５に基づけば「パソコン１００」。ＭＡＣアドレス等とすることもできる。）が含まれる。なお、制御部１１０は、ＲＳＳサイト情報の送信先となるＲＳＳデバイスの宛先を、Ｓ２００の選定処理の際に入手しており、これを利用する。
【００４３】
Ｓ２１６でＲＳＳサイト情報を送信した制御部１１０は、ＲＳＳサイト情報を受信したＲＳＳデバイスが送信する登録完了信号を受信したか否かを判断する（Ｓ２１８）。登録完了通知を受信したと判断した場合（Ｓ２１８：Ｙｅｓ）、制御部１１０は、Ｓ２１６で送信したＲＳＳサイト情報をデータベース１２０８に更新登録する（Ｓ２２０）。続けて、制御部１１０は、旧ＲＳＳデバイスからＲＳＳサイト情報を削除する指示が入力されているか否かを判断する（Ｓ２２２）。すなわち、制御部１１０は、Ｓ２１２でモニタ１３０に表示されたＲＳＳサイト情報自動登録画面４００のチェックボックス４１０にチェックが入力された状態で、ＯＫボタン４１２が押下されたか否かを判断する。判断の結果、削除指示が入力されていない、換言すれば、チェックボックス４１０にチェックが未入力の状態でＯＫボタン４１２が押下された場合（Ｓ２２２：Ｎｏ）、制御部１１０は処理をＳ２２６に移行する。
【００４４】
これに対し、Ｓ２２２の判断の結果、削除指示が入力されている、換言すれば、チェックボックス４１０にチェックが入力された状態でＯＫボタン４１２が押下された場合（Ｓ２２２：Ｙｅｓ）、制御部１１０は、旧ＲＳＳデバイスから削除する処理を実行する（Ｓ２２４）。すなわち、制御部１１０は、ネットワークＩ／Ｆ１５０を制御し、Ｓ２０８で検索されたＲＳＳサイト情報が登録された旧ＲＳＳデバイスに対して削除要求コマンドを送信する。なお、削除コマンドを受信したＲＳＳデバイス、例えば、複合機２００Ｂの制御部は、記憶部に登録されているＲＳＳサイト情報を削除する。Ｓ２２４の処理により、旧ＲＳＳデバイスからＲＳＳサイト情報が漏洩することを防止できる。
【００４５】
ここで、Ｓ２２４の処理は、この処理の実行時点において継続して旧ＲＳＳデバイスがＬＡＮ８００に接続されている場合に限り実行される。すなわち、Ｓ２０４の判断が肯定された場合（Ｓ２０４：Ｙｅｓ）に限り、実行される。したがって、チェックボックス４１０にチェックが入力された状態でＯＫボタン４１２が押下され、Ｓ２２２の判断が肯定される場合（Ｓ２２２：Ｙｅｓ）であっても、Ｓ２０４の判断が否定されている場合（Ｓ２０４：Ｎｏ）、制御部１１０は、Ｓ２２２の判断を否定する（Ｓ２２２：Ｎｏ）。なお、Ｓ２０６に基づき実行されるＳ２１２において、チェックボックス４１０を、例えば、グレーアウトし、チェックの入力ができないような構成を採用することもできる。
【００４６】
Ｓ２２４を実行した後、制御部１１０は処理をＳ２２６に移行する。Ｓ２２６で制御部１１０は、記録メディアに登録されているドライバプログラム１２０６を記憶部１２０にインストールし、このドライバインストール処理を終了する。
【００４７】
（変形例）
（１）上記では、ＲＳＳ形式の情報を例に説明したが、Ａｔｏｍ形式の情報であってもよい。
【００４８】
（２）上記では、ＬＡＮ８００を介してパソコン１００とＲＳＳデバイス（複合機２００Ａ，２００Ｂ）が接続される構成を例に説明したが、他の接続形態を採用することもできる。例えば、ＵＳＢ（Universal Serial Bus）接続を採用してもよい。また、パソコン１００と一のＲＳＳデバイス（例えば、複合機２００Ａ）とをＬＡＮ８００を介した接続とする一方、パソコン１００と他のＲＳＳデバイス（例えば、複合機２００Ｂ）とをＵＳＢを介した接続とすることもできる。なお、ＲＳＳデバイスとして、複合機２００Ａ，２００Ｂを例に説明したが、これ以外の装置とすることができる。例えば、印刷装置、スキャナ装置、ファクシミリ装置その他画像形成装置とすることができる。
【００４９】
（３）上記では、図４に示すドライバインストール処理の中で、設定情報登録プログラム１２０４に基づくＲＳＳサイト情報自動登録処理（図４のＳ２００〜Ｓ２２４参照）が実行される構成を例に説明したが、他の構成を採用することもできる。例えば、ＲＳＳサイト情報自動登録処理が単独で実行される構成を採用することもできる。
【００５０】
（４）上記では、図２に示すＲＳＳサイト情報手動処理のＳ１１２及び図４に示すドライバインストール処理のＳ２２０で、データベース１２０８にＲＳＳサイト情報を更新登録する構成を例に説明したが、追加登録する構成を採用することもできる。すなわち、データベース１２０８に複数のＲＳＳサイト情報を登録する構成を採用することもできる。この場合、図４に示すドライバインストール処理のＳ２０６で制御部１１０は、所定の情報をモニタ１３０に表示し、そして、操作部１４０を介したユーザの選択操作を受け付け、選択されたＲＳＳサイト情報を抽出する。また、登録日時が最新のＲＳＳサイト情報を抽出する構成とすることもできる。
【００５１】
（５）上記では、図２示すＲＳＳサイト情報手動処理のＳ１１２及び図４に示すドライバインストール処理のＳ２２０で、ＲＳＳサイト情報がデータベース１２０８に登録される構成を例に説明したが、他の構成を採用することもできる。例えば、設定情報登録プログラム１２０４がＨＤＤ１２０にインストールされるに際し、予め定められた所定のＲＳＳサイト情報（少なくとも、登録ＲＳＳサイトボックス３０６，４０８（図３及び図５参照）で関連付けされる登録ＲＳＳサイト名とＵＲＬ）が、データベース１２０８に自動登録される構成とすることもできる。
【００５２】
（６）上記では、図４に示すドライバインストール処理のＳ２１８及びＳ２２０で、登録完了信号を受信し、ＲＳＳサイト情報をデータベース１２０８に登録する構成を例に説明したが、他の構成を採用することもできる。例えば、Ｓ２０６でデータベース１２０８からＲＳＳサイト情報が検索された場合、その後に実行されるＳ２１８及びＳ２２０を省略した構成とすることもできる。
【００５３】
（７）上記では、図２示すＲＳＳサイト情報手動処理のＳ１０８及び図４に示すドライバインストール処理のＳ２１６で送信されるＲＳＳサイト情報が、登録パソコン名ボックス３０４，４０６に入力されたパソコン１００を識別する識別情報を含む構成を例に説明した。しかし、識別情報を含まないＲＳＳサイト情報、換言すれば、ＲＳＳサイト情報を、登録ＲＳＳサイトボックス３０６，４０８で関連付けされる登録ＲＳＳサイト名とＵＲＬとによる構成とすることもできる。例えば、ＬＡＮ８００上に、この処理を実行可能なパソコン（上記説明ではパソコン１００）が、１台しか存在しない状況であれば、パソコンを識別する必要がない。
【００５４】
ここで、識別情報を含まないＲＳＳサイト情報を採用する場合、登録パソコン名ボックス３０４，４０６（図３及び図５参照）を省略することが可能で、この場合、識別情報を含まないＲＳＳサイト情報がデータベース１２０８に登録される。なお、識別情報を含まないＲＳＳサイト情報である場合、図４のＳ２０８は省略される。また、図４のＳ２１０では、ＲＳＳサイト情報の存在の有無のみが判断される。
【符号の説明】
【００５５】
１００  パソコン
１１０  制御部
１２０  記憶部
１２０４  設定情報登録プログラム
２００Ａ，２００Ｂ  複合機
８００  ＬＡＮ
８４０  インターネット
８６０，８８０  コンテンツ提供サーバ
【図１】
2010176161.tif 000003
【図２】
2010176161.tif 000004
【図３】
2010176161.tif 000005
【図４】
2010176161.tif 000006
【図５】
2010176161.tif 000007